(57)【要約】【課題】製造工数、コストを削減し生産効率を向上させるとともに、操作性を向上させた網材ユニット及びそれを備えた網戸を提供する。【解決手段】枠体４０には、凹部４１が形成される。凹部４１は、網材３０の外周縁部３１が進入可能に形成される。網材３０は、凹部４１の前後方向における、いずれか一方の面と接触させて配置される。凹部４１の網材３０と接触する面（第一受け止め面５２ａ、６２ａ、７２ａ、８２ａ）には、網材３０が移動することを抑制する滑り止め手段（突状５２ｃ、６２ｃ、７２ｃ、８２ｃ）が配設される。第一固定部材９１、第二固定部材９２は、弾性変形可能な長尺丸棒状に形成され、軸線方向からみて、外周縁から突出する突部９１ａ、突部９２ａを有し、凹部４１内に、網材３０と枠体４０との間に、枠体４０の内周面から外周面に向かう方向に沿って複数列配設される。【選択図】図８
2018193691.tif 000002
【特許請求の範囲】
【請求項１】
網戸を構成する、上框、下框、左框、右框を有して矩形枠状に形成された框体に、着脱可能に形成され、
自立可能な剛性を有する金属製の網材と、
前記網材が取り付けられる枠体と、
前記網材を固定する固定部材と、を備え、
前記枠体は、
内周面から外周面に向かう有底溝として形成された凹部が形成され、前記凹部は、前記網材の外周縁部が進入可能に形成され、
前記網材は、
前記凹部の前後方向における、いずれか一方の面と接触させて配置され、前記凹部の前記網材と接触する面には、前記網材が移動することを抑制する滑り止め手段が配設され、
前記固定部材は、弾性変形可能な長尺丸棒状に形成され、軸線方向からみて、外周縁から突出する突部を有し、前記凹部内に、前記網材と枠体との間に、前記枠体の内周面から外周面に向かう方向に沿って複数列配設されていることを特徴とする網材ユニット。
【請求項２】
異なる列の前記固定部材を、互いに接触させて配置されていることを特徴とする請求項１記載の網材ユニット。
【請求項３】
前記凹部の底面には、前記枠体の外周面側から内周面側に向かって延びて前記網材の移動を規制する規制部が配設され、
前記規制部と、前記凹部の前記網材と接触する面との間に前記網材を配置可能とされていることを特徴とする請求項１又２は記載の網材ユニット。
【請求項４】
前記凹部の底面側には、前記凹部の奥側に配置される列の前記固定部材を係止させる係止部が配設されていることを特徴とする請求項１、２又は３記載の網材ユニット。
【請求項５】
上框、下框、左框、右框を有して矩形枠状に形成された框体と、請求項１、２、３又は４に記載の網材ユニットと、を備え、
組み付けられた状態において、前記框体の内周縁部に配設された係合部と、前記請求項１、２、３又は４に記載の網材ユニットの外周縁部に配設された被係合部とが係合されていることを特徴とする網戸。
【発明の詳細な説明】
【技術分野】
【０００１】
本発明は、網戸に着脱可能で、剛性を有する金属製の網材を有する網材ユニット及びそれを備えた網戸に関する。
【背景技術】
【０００２】
従来の網戸では、柔らかい合成樹脂で形成された網材が、矩形枠状の框体に形成された断面矩形状の溝部に、網材を進入させて、いわゆるゴムビートとよばれる、円柱状のゴムを溝部に挿入して固定されて構成されていた。しかし、防犯対策等のため、金属製で自立可能な剛性を付与した網材にはそのまま適用できなかった。
【０００３】
金属製の網材が取り付けられた網戸として、本出願人が先にした特許文献１に記載されるものがある。これによれば、上框、下框、及び、左右の縦框が枠組みされた框体と、框体の開口部に張設された剛性を有する金属製の網材と、網材を框体に固定するための金属製の網固定部材と、を有していた。そして、網材は、端部を折り曲げることで形成された折曲部を有し、網材は、折曲部により網固定部材に掛止され、網固定部材とともに框体に金属製のねじで固定されていた。
【０００４】
これにより、剛性を有する金属製の網材を框体に固定し、別途格子を設けなくても不審者の侵入等を阻止可能とされていた。
【先行技術文献】
【特許文献】
【０００５】
【特許文献１】特開２０１６−０３７７７０号公報
【発明の概要】
【発明が解決しようとする課題】
【０００６】
しかし、上記網戸では、特別に設計された網固定部材を用いて、複数箇所金属製のねじで固定する必要があり、部品点数、製造工数、コストが多くなり、生産効率を向上させることが望まれていた。
【０００７】
本発明は、上記事情に鑑み、特別に設計された網固定部材を用いることなく、製造工数、コストを削減し生産効率を向上させることができる網材ユニット及びそれを備えた網戸を提供することを目的とする。
【課題を解決するための手段】
【０００８】
請求項１記載の発明では、網戸を構成する、上框、下框、左框、右框を有して矩形枠状に形成された框体に、着脱可能に形成され、
自立可能な剛性を有する金属製の網材と、
前記網材が取り付けられる枠体と、
前記網材を固定する固定部材と、を備え、
前記枠体は、
内周面から外周面に向かう有底溝として形成された凹部が形成され、前記凹部は、前記網材の外周縁部が進入可能に形成され、
前記網材は、
前記凹部の前後方向における、いずれか一方の面と接触させて配置され、前記凹部の前記網材と接触する面には、前記網材が移動することを抑制する滑り止め手段が配設され、
前記固定部材は、弾性変形可能な長尺丸棒状に形成され、軸線方向からみて、外周縁から突出する突部を有し、前記凹部内に、前記網材と枠体との間に、前記枠体の内周面から外周面に向かう方向に沿って複数列配設されている。
【０００９】
これによれば、既存の、ゴムビート、ゴムビート用の補助具を用いて着脱作業を行うことが可能となるので、特別な部品を用いることなく、製造工数、コストを削減し生産効率を向上させることができるとともに、組み付け作業、メンテナンス作業をすることができる。
【００１０】
さらに、凹部の枠体の内周面から外周面に向かう方向に沿って、固定部材を複数列進入させて固定することで、自立可能な剛性を有する網材であっても、枠体に固定することができる。
【００１１】
請求項２記載の発明では、異なる列の前記固定部材を、互いに接触させて配置されている。
【００１２】
これによれば、網部材が、枠体の外周面から内周面に向かう方向に移動すると、固定部材は回転するが、互いに接触する部分では、突部どうしが逆回転することになり固定部材の回転が妨げられるので、それにともない網材が移動することを防止することができる。
【００１３】
請求項３記載の発明では、前記凹部の底面には、前記枠体の外周面側から内周面側に向かって延びて前記網材の移動を規制する規制部が配設され、前記規制部と、前記凹部の前記網材と接触する面との間に前記網材を配置可能とされている。
【００１４】
これによれば、凹部の網材と接触する面と規制部の間により、網材の移動を規制するとともに位置決めを容易にするとともに、固定部材を凹部内に進入させやすくなるので、組み付け作業をし易くすることができる。
【００１５】
請求項４記載の発明では、前記凹部の底面側には、前記凹部の奥側に配置される列の前記固定部材を係止させる係止部が配設されている。
【００１６】
これによれば、係止部により、凹部の奥側に配置される固定部材の回転が止められるので、それにともない凹部の開口する側に配置される列の固定部材の回転も妨げられ、網材の移動を防止することに寄与する。
【００１７】
請求項５記載の発明では、上框、下框、左框、右框を有して矩形枠状に形成された框体と、請求項１、２、３又は４に記載の網材ユニットと、を備え、
組み付けられた状態において、前記框体の内周縁部に配設された係合部と、前記請求項１、２、３又は４に記載の網材ユニットの外周縁部に配設された被係合部とが係合されている。
【００１８】
これによれば、框体の内周縁部と網材ユニットの外周縁部を係合させる簡易な構成としたうえで、上記網材ユニットの効果を奏する網戸とすることができる。
【図面の簡単な説明】
【００１９】
【図１】本発明の一実施形態の網戸の正面図である。
【図２】図１のＩＩ−ＩＩ線矢視断面図である。
【図３】図１のＩＩＩ−ＩＩＩ線矢視断面図である。
【図４】網材ユニットの組付け手順を説明する斜視図である。
【図５】網材ユニットの組付け手順を説明する斜視図で、図４の続きである。
【図６】網材ユニットの組付け手順を説明する断面図である。
【図７】網材ユニットを框体に取り付ける組付け手順を説明する斜視図である。
【図８】網材ユニットの作用効果の説明図である。
【発明を実施するための形態】
【００２０】
本発明の一実施形態について図面に基づいて説明する。以下の説明において、各図面に記載される矢印の、Ｆを前、Ｂを後ろ、Ｒを右、Ｌを左、Ｕを上、Ｄを下、とする。
【００２１】
本発明の網戸１００は、概略的には図１〜３に示すように、框体１１０と、網材ユニット２０と、を備えている。
【００２２】
框体１１０は、上框１２０、下框１３０、左框１４０、右框１５０を有して矩形枠状に形成されている。
【００２３】
上框１２０、下框１３０、左框１４０、右框１５０は、図２、３に示すように、角筒状にそれぞれ形成され、組み付けられた状態において、框体１１０の内周縁部となる側に、後述する網材ユニット２０の被係合部４３と係合可能な係合部１１１を構成する係合部形成片１２１、１３１、１４１、１５１がそれぞれ配設されている。
【００２４】
本実施形態では、係合部形成片１２１、１３１、１４１、１５１は、平板状の進入板１２２、１３２、１４２、１５２と、進入板１２２、１３２、１４２、１５２から略Ｌ字状に延びる鉤板部１２３、１３３、１４３、１５３と、でそれぞれ構成される。
【００２５】
進入板１２２、１３２、１４２、１５２は、平板状で、組み付けられた状態において、框体１１０の内側に向かって延びるように形成されている（上框１２０では下方向、下框１３０では上方向、左框１４０では右方向、右框１５０では左方向、に沿って延びることになる）。
【００２６】
鉤板部１２３、１３３、１４３、１５３は、組み付けられた状態において、進入板１２２、１３２、１４２、１５２の自由端側から一旦前側に延びて、それぞれ基端側に屈曲するように形成されている（上框１２０では上方向、下框１３０では下方向、左框１４０では左方向、右框１５０では右方向、に屈曲することになる）。
【００２７】
上框１２０、下框１３０、左框１４０、右框１５０が、長手方向における端部でねじ止め等されて、矩形枠状の框体１１０として構成される。
【００２８】
組み付けられた状態において、係合部形成片１２１、１３１、１４１、１５１が連設されて、框体１１０の内周縁部となる側に、係合部１１１が形成されることになる。なお、係合部形成片１４１、１５１は、係合部形成片１２１、１３１と干渉しないように、左右の端部が除去されて形成される。
【００２９】
係合部１１１は、網材ユニット２０の被係合部４３に対応した形状に形成され、被係合部４３に嵌め込んで係合可能とされている。
【００３０】
網材ユニット２０は、図１、２、３に示すように、網材３０と、枠体４０と、固定部材９０と、を備えている。
【００３１】
網材３０は、ステンレス製で線材が編み込まれて矩形状に形成され、自立可能な剛性を有している。本実施形態では、網材３０は、線径が０．６３ｍｍ、１２メッシュ、のものが用いられている。ここで「メッシュ」とは、網材３０の網目の粗さを示すもので、１インチにおいて、線材で形成される格子の目の隙間がいくつあるかを示すものである。
【００３２】
枠体４０は、上枠５０、下枠６０、左枠７０、右枠８０を有して矩形枠状に形成されている。
【００３３】
上枠５０、下枠６０、左枠７０、右枠８０は、本体部５１、６１、７１、８１と、本体部５１、６１、７１、８１から略Ｌ字状に延設される被係合部形成片５６、６６、７６、８６と、を備えている。
【００３４】
本体部５１、６１、７１、８１は、直方体状に形成され、枠体４０が組み付けられた状態において、枠体４０の内周面から外周面に向かう、断面矩形状の有底溝として形成された凹部形成溝５２、６２、７２、８２が形成されている。
【００３５】
本実施形態では、凹部形成溝５２、６２、７２、８２は、枠体４０を構成する、上枠５０、下枠６０、左枠７０、右枠８０の長手方向に沿って形成され、組み付けられた状態において、枠体４０の内周面に沿って形成されている。
【００３６】
凹部形成溝５２、６２、７２、８２は、網材３０を受け止める第一受け止め面５２ａ、６２ａ、７２ａ、８２ａと、固定部材９０を受け止める第二受け止め面５２ｂ、６２ｂ、７２ｂ、８２ｂと、を有している。本実施形態では、前側に位置する面が第一受け止め面５２ａ、６２ａ、７２ａ、８２ａとされ、後側に位置する面が第二受け止め面５２ｂ、６２ｂ、７２ｂ、８２ｂとされている。
【００３７】
第一受け止め面５２ａ、６２ａ、７２ａ、８２ａには、第二受け止め面５２ｂ、６２ｂ、７２ｂ、８２ｂに向かって突出するとともに、上枠５０、下枠６０、左枠７０、右枠８０の長手方向に沿って形成される突状５２ｃ、６２ｃ、７２ｃ、８２ｃが複数設けられている。
【００３８】
組み付けられた状態において、凹部形成溝５２、６２、７２、８２が連通して、枠体４０の内周縁部となる側に、網材３０の外周縁部３１が進入可能な凹部４１が形成されることになる。
【００３９】
上記突状５２ｃ、６２ｃ、７２ｃ、８２ｃは、線材が編み合わせて形成される網材３０の凹凸と係わり合って凹部４１内での、網材３０の移動を抑制する（特許請求の範囲の滑り止め手段に相当する）。
【００４０】
組み付けられた状態において、凹部形成溝５２、６２、７２、８２より外周面側には、ねじ形成孔５３、６３、７３、８３が、上枠５０、下枠６０、左枠７０、右枠８０の長手方向に沿って形成されている。換言すれば、枠体４０を構成する、上枠５０、下枠６０、左枠７０、右枠８０の長手方向に沿って形成されている。
【００４１】
凹部形成溝５２、６２、７２、８２とねじ形成孔５３、６３、７３、８３との間は、連通するように形成されている。
【００４２】
凹部形成溝５２、６２、７２、８２の底面と、ねじ形成孔５３、６３、７３、８３とで構成される角部分は、後述する固定部材９０の突部９１ａ、９２ａと接触して、固定部材９０を係止可能とする係止部５４、６４、７４、８４とされている。
【００４３】
枠体４０が組み付けられた状態において、図２、３、６に示すように、上枠５０、下枠６０、左枠７０、右枠８０には、枠体４０の外周面から凹部形成溝５２、６２、７２、８２まで貫通するねじ孔５５、６５、７５、８５が形成されている。ねじ孔５５、６５、７５、８５は、規制部を構成するねじ部材４２を螺合可能とされている。本実施形態では、ねじ孔５５、６５、７５、８５は、枠体４０が組み付けられた状態において、３００ｍｍ以内のピッチとなるように形成されている。
【００４４】
ねじ部材４２は、枠体４０の外周縁側から挿入され、ねじ孔５５、６５、７５、８５を挿通して凹部形成溝５２、６２、７２、８２内に臨むように配設される。そして、第一受け止め面５２ａ、６２ａ、７２ａ、８２ａと、ねじ部材４２とで、網材３０が前後方向における移動を規制するとともに、網材３０と第二受け止め面５２ｂ、６２ｂ、７２ｂ、８２ｂとの間のスペースを確保して、固定部材９０の凹部４１への進入を容易なものとしている。
【００４５】
上枠５０、下枠６０、左枠７０、右枠８０は、角筒状に形成され、組み付けられた状態において、枠体４０の外周縁部となる側が開口して形成され、後述する框体１１０の係合部１１１と係合可能な被係合部４３が配設されている。
【００４６】
本実施形態では、被係合部４３は、断面視において、本体部５１、６２、７２、８２から略Ｌ字状に延設される被係合部形成片５６、６６、７６、８６が配設され、被係合部形成片５６、６６、７６、８６の内面と、本体部５１、６２、７２、８２の後面とで囲まれる領域が、被係合部４３とされている。被係合部４３の内面側の形状は、係合部１１１の外面側の形状と対応する形状に形成され、被係合部４３内に係合部１１１を嵌め込み可能とされている。
【００４７】
固定部材９０は、ＰＶＣ（塩化ビニル）製で、図２、３、８に示されるように、凹部４１の奥側に配置される第一固定部材９１と、凹部４１の開口側に配置される第二固定部材９２と、で構成されている。
【００４８】
第一固定部材９１、第二固定部材９２は、弾性変形可能な長尺丸棒状に形成され、軸線方向からみて、外周縁から突出する突部９１ａ、９２ａを有している。第一固定部材９１、第二固定部材９２は、いわゆる、ゴムビートとよばれる、既存の網戸に網材を取り付ける際に用いられる部材である。
【００４９】
そして、本実施形態では、第一固定部材９１は、３００ｍｍ以内でねじ部材４２の間に進入可能な長さに形成され、第二固定部材９２は、枠体４０の凹部４１内に進入可能な長さに形成されている。
【００５０】
網戸１００の組付け手順について説明する。まず、網材ユニット２０を行う。図４の（ａ）、図６の（ａ）、（ｂ）に示すように、網材３０の外周縁部３１を、上枠５０、下枠６０、左枠７０、右枠８０の凹部形成溝５２、６２、７２、８２内に進入させる。そして、図３に示すように、左枠７０、右枠８０の外周面から、上枠５０、下枠６０のねじ形成孔５３、６３に向けてねじ４４を挿通させて、枠体４０を矩形枠状とする。このとき、枠体４０の凹部４１に、網材３０の外周縁部３１が進入した状態となる。
【００５１】
図４の（ｂ）に示すように、ねじ部材４２を、ねじ孔５５、６５、７５、８５に挿通して、凹部形成溝５２、６２、７２、８２内に臨むように配設する。図４の（ｃ）、図６の（ｃ）の状態では、第一受け止め面５２ａ、６２ａ、７２ａ、８２ａと、ねじ部材４２との間に、網材３０の外周縁部３１が配置されていることになる。
【００５２】
図５の（ａ）に示すように、網材３０と第二受け止め面５２ｂ、６２ｂ、７２ｂ、８２ｂとの間、かつ、３００ｍｍ以内のピッチに合わせた数のねじ部材４２の間に、ねじ部材４２と同数の第一固定部材９１をそれぞれ進入させる。
【００５３】
図５の（Ｂ）、図６の（ｄ）、（ｅ）に示すように、網材３０と第二受け止め面５２ｂ、６２ｂ、７２ｂ、８２ｂとの間、かつ、ねじ部材４２と同数の第一固定部材９１より枠体４０の内周となる側に、一本の第二固定部材９２を進入させて、網材ユニット２０が完成する。
【００５４】
次に、網材ユニット２０を框体１１０に取り付ける。図７の（ａ）に示すように、上框１２０の左右の端部に、左框１４０、右框１５０を、図示しないねじで取り付け、コの字状の半完状態の框体１１０を作る。そして、網材ユニット２０を左框１４０、右框１５０の下側から、半完状態の框体１１０に進入させる。
【００５５】
詳説すれば、係合部形成片１２１、１４１、１５１を、被係合部形成片５６、７６、８６の内面と、本体部５１、７２、８２の後面とで囲まれる領域に進入させる。コの字状の半完状態の框体１１０に、網材ユニット２０が進入しきったら、下框１３０を、左框１４０、右框１５０に図示しないねじを用いて取り付ける。このとき、係合部形成片１３１が、被係合部形成片６６の内面と、本体部６１の後面とで囲まれる領域に進入する。換言すれば、框体１１０の内周縁側に網材ユニット２０が取り付けられ、框体１１０の係合部１１１と、枠体４０の被係合部４３とが係合している状態となり、図６の（ｆ）、図７の（ｂ）に示すように、網戸１００が完成する。
【００５６】
次に、作用について、図８に基づいて説明する。
【００５７】
網材３０の外周縁部３１が、凹部４１から離脱するように左側に移動すると、第一固定部材９１、第二固定部材９２は反時計周りの回転をしようとする。第一固定部材９１と第二固定部材９２とは、枠体４０の内外周方向において、接触して配置されている。これにより、接触している部分では、互いに逆方向に回転する。すると、突部９１ａ、９２ａどうしが互いに干渉して、第一固定部材９１、第二固定部材９２の回転を妨げる。
【００５８】
また、係止部５４、６４、７４、８４が、第一固定部材９１の突部９１ａ、と接触して、第一固定部材９１の回転を妨げる。さらに、突状５２ｃ、６２ｃ、７２ｃ、８２ｃが、網材３０の凹凸と係わり合って凹部４１内での、網材３０の移動を抑制する。
【００５９】
本発明の網材ユニット２０では、網戸１００を構成する、上框１２０、下框１３０、左框１４０、右框１５０を有して矩形枠状に形成された框体１１０に、着脱可能に形成され、自立可能な剛性を有する金属製の網材３０と、網材３０が取り付けられる枠体４０と、網材３０を固定する固定部材９０（第一固定部材９１、第二固定部材９２）と、を備え、枠体４０は、内周面から外周面に向かう有底溝として形成された凹部４１が形成され、凹部４１は、網材３０の外周縁部３１が進入可能に形成され、網材３０は、凹部４１の前後方向における、いずれか一方の面と接触させて配置され、凹部４１の網材３０と接触する面（第一受け止め面５２ａ、６２ａ、７２ａ、８２ａ）には、網材３０が移動することを抑制する滑り止め手段（突状５２ｃ、６２ｃ、７２ｃ、８２ｃ）が配設され、固定部材９０は、弾性変形可能な長尺丸棒状に形成され、軸線方向からみて、外周縁から突出する突部９１ａ、突部９２ａを有し、凹部４１内に、網材３０と枠体４０との間に、枠体４０の内周面から外周面に向かう方向に沿って複数列配設されている。
【００６０】
これによれば、既存の、ゴムビート、ゴムビート用の補助具を用いて着脱作業を行うことが可能となるので、特別な部品を用いることなく、製造工数、コストを削減し生産効率を向上させることができるとともに、組み付け作業、メンテナンス作業をすることができる。
【００６１】
さらに、凹部４１の枠体４０の内周面から外周面に向かう方向に沿って、第一固定部材９１、第二固定部材９２を複数列進入させて固定することで、自立可能な剛性を有する網材３０であっても、枠体４０に固定することができる。
【００６２】
また、異なる列の第一固定部材９１、第二固定部材９２を、互いに接触させて配置されている。
【００６３】
これによれば、網材３０が、枠体４０の外周面から内周面に向かう方向に移動すると、第一固定部材９１、第二固定部材９２は回転するが、互いに接触する部分では、突部９１ａ、突部９２ａどうしが逆回転することになり第一固定部材９１、第二固定部材９２の回転が妨げられるので、それにともない網材３０が移動することを防止することができる。
【００６４】
また、凹部４１の底面には、枠体４０の外周面側から内周面側に向かって延びて網材３０の移動を規制する規制部としてのねじ部材４２が配設され、ねじ部材４２と、凹部４１の網材３０と接触する面（第一受け止め面５２ａ、６２ａ、７２ａ、８２ａ）との間に網材３０を配置可能とされている。
【００６５】
これによれば、凹部４１の網材３０と接触する面（第一受け止め面５２ａ、６２ａ、７２ａ、８２ａ）とねじ部材４２の間により、網材３０の移動を規制するとともに位置決めを容易にするとともに、第一固定部材９１、第二固定部材９２を凹部４１内に進入させやすくなるので、組み付け作業をし易くすることができる。
【００６６】
また、凹部４１の底面側には、凹部４１の奥側に配置される列の第一固定部材９１を係止させる係止部（係止部５４、６４、７４、８４）が配設されている。
【００６７】
これによれば、係止部（係止部５４、６４、７４、８４）により、凹部４１の奥側に配置される第一固定部材９１の回転が止められるので、それにともない凹部４１の開口する側に配置される列の第二固定部材９２の回転も妨げられ、網材３０の移動を防止することに寄与する。
【００６８】
さらに、上框１２０、下框１３０、左框１４０、右框１５０を有して矩形枠状に形成された框体１１０と、網材ユニット２０と、を備え、
組み付けられた状態において、框体１１０の内周縁部に配設された係合部１１１と、網材ユニット２０の外周縁部に配設された被係合部４３とが係合されている。
【００６９】
これによれば、框体１１０の内周縁部と網材ユニット２０の外周縁部を係合させる簡易な構成としたうえで、上記網材ユニット２０の効果を奏する網戸１００とすることができる。
【００７０】
本発明の網材ユニット及びそれを備えた網戸は上記構成に限定されるものではない。即ち、本発明の要旨を逸脱しない限り各種の設計変更等が可能である。以下に、変形した態様を例示する。
【００７１】
例えば、
また、網材３０の線材の線径は、自立可能な剛性を付与するために、０．４〜０．９ｍｍのものが適用可能である。そして、０．５〜０．８ｍｍであることが望ましい。そして、防虫性能を考慮すると、１２〜１５メッシュであることが望ましい。また、網材３０の素材としては、耐久性、防錆性を有するものであれば、他の金属を用いることができる。
【００７２】
滑り止め手段は、網材３０の凹凸と係わり合って、網材３０の移動を抑制するものであれば、突状にはこだわらない、凹状にしたり、シボ加工して摩擦力を付与したり等、適宜変更することができる。
【００７３】
また、第二受け止め面５２ｂ、６２ｂ、７２ｂ、８２ｂ側にも、滑り止め手段を設けることも可能である。
【００７４】
また、固定部材９０を、第一固定部材９１と、第二固定部材９２と、に分ける構成とせず、一本の固定部材９０を二回、回しいれて凹部４１内に進入させる構成とすることも可能である。
【符号の説明】
【００７５】
２０  網材ユニット
３０  網材
３１  外周縁部
４０  枠体
４１  凹部
４２  ねじ部材
４３  被係合部
５２ａ  第一受け止め面
５２ｃ  突状
５４  係止部
６２ａ  第一受け止め面
６２ｃ  突状
６４  係止部
７２ａ  第一受け止め面
７２ｃ  突状
７４  係止部
８２ａ  第一受け止め面
８２ｃ  突状
８４  係止部
９０  固定部材
９１  第一固定部材
９１ａ  突部
９２  第二固定部材
９２ａ  突部
１００  網戸
１１０  框体
１１１  係合部
１２０  上框
１３０  下框
１４０  左框
１５０  右框
【図１】
2018193691.tif 000003
【図２】
2018193691.tif 000004
【図３】
2018193691.tif 000005
【図４】
2018193691.tif 000006
【図５】
2018193691.tif 000007
【図６】
2018193691.tif 000008
【図７】
2018193691.tif 000009
【図８】
2018193691.tif 000010